(57)【特許請求の範囲】
【請求項１】
下階の上に上階が設けられた本屋と、下階に隣接する下屋とが設けられていると共に、前記下屋の外壁，前記下屋の屋根及び前記上階の外壁内には互いに連通する下屋通気路、屋根通気路及び上階通気路がそれぞれ形成されており、
前記下屋の外壁と下屋の屋根との間には軒先水切りが設けられていると共に、前記下屋通気路と屋根通気路とを連通させる通気口が前記軒先水切りに形成されていることを特徴とする建物の通気構造。
【請求項２】
下階の上に上階が設けられた本屋と、下階に隣接する下屋とが設けられていると共に、前記下屋の外壁、前記下屋の屋根及び前記上階の外壁内には互いに連通する下屋通気路，屋根通気路及び上階通気路がそれぞれ形成されており、
前記下屋の屋根と上階の外壁との間には水上水切りが設けられていると共に、前記屋根通気路と上階通気路を連通させる通気口が前記水上水切りに形成されていることを特徴とする建物の通気構造。
【発明の詳細な説明】
【０００１】
【産業上の利用分野】
この発明は、少なくとも２階建ての本屋と本屋に隣接する下屋が設けられた建物の通気構造に関するものである。
【０００２】
【従来の技術】
従来、例えば特公平４−７２９３６号公報に開示されているように、下階建物ユニット上に上階建物ユニットを設置すると共に、下階建物ユニットの壁パネルの内壁と外壁との間及び上階建物ユニットの壁パネルの内壁と外壁との間に互いに連通する空気流通路を形成したユニット建物が知られている。
【０００３】
【発明が解決しようとする課題】
しかしながら、この公報に開示されたユニット建物は下階建物ユニットに隣接する下屋を有していない構造であるため、上記公報の空気流通構造を下屋が設けられた建物にそのまま適用することはできないものであった。
【０００４】
即ち、下屋を設けた建物では、下屋の壁パネルと上階（２階）の壁パネルは下屋の屋根で分離されて連続していないため、上記公報の上下の壁パネル間に跨る空気流通路の構造をそのまま適用できないものであった。
【０００５】
また、下屋を設けた建物において、下屋の壁パネルと上階（２階）の壁パネルは下屋の屋根で独立した通気構造とすると、下屋の軒先（下屋外壁パネルの水上側）や下屋の屋根の水上側で外気を取り入れる必要がある。しかし、特に上階の外壁パネルと下屋の屋根との接合する部分（水上側）は雨風が強く当たるので、この部分での換気は難しく、防水上不利であった。
【０００６】
そこで、この発明は、軒先や下屋の屋根の水上側での換気を行わなくてもよい構造の下屋を有する建物の通気構造を提供することを目的とするものである。
【０００７】
【課題を解決するための手段】
この目的を達成するため、請求項１の発明の建物の通気構造は、下階の上に上階が設けられた本屋と、下階に隣接する下屋とが設けられていると共に、前記下屋の外壁、前記下屋の屋根及び前記上階の外壁内には互いに連通し且つ大気に連通する通気路が形成されており、前記下屋の外壁と下屋の屋根との間には軒先水切りが設けられていると共に、前記下屋通気路と屋根通気路とを連通させる通気口が前記軒先水切りに形成されていることを特徴とする。この構成によれば、軒先や下屋の屋根の水上側での換気を行わなくてもよい。
【０００８】
また、軒先水切りに形成されている通気口を介して下屋通気路と屋根通気路とが連通することになる。
【０００９】
また、請求項２の発明の建物の通気構造は、下階の上に上階が設けられた本屋と、下階に隣接する下屋とが設けられていると共に、前記下屋の外壁、前記下屋の屋根及び前記上階の外壁内には互いに連通する下屋通気路，屋根通気路及び上階通気路がそれぞれ形成されており、前記下屋の屋根と上階の外壁との間には水上水切りが設けられていると共に、前記屋根通気路と上階通気路を連通させる通気口が前記水上水切りに形成されていることを特徴とする。この構成によれば、軒先や下屋の屋根の水上側での換気を行わなくてもよい。
また、水上水切りに形成されている通気口を介して屋根通気路と上階通気路とが連通することになる。
【００１０】
【発明の実施の形態】
以下、この発明の実施の形態を図面に基づいて説明する。
【００１１】
図１に示した建物１は本屋２と下屋３を有する。本屋２は下階建物ユニット（下階）４上に上階建物ユニット（上階）５を設置したものである。そして、下屋３は、下階建物ユニット４に隣接して設けられている（図２参照）。４ａは下階建物ユニット４の居室（下室）、５ａは上階建物ユニット５の居室（上室）、３ａは下屋３の居室（下屋室）である。
【００１２】
図３において、６は下屋室３ａと居室４ａとの間の袖フレーム、７は下屋３のコーナスタッド、８は下屋３の長手方向に間隔を置いて設けられる開口スタッド、８ａは開口スタッド８の上端部に設けられた妻側のフレーム、９は袖フレーム６とコーナスタッド７との間に渡架された桁梁である。また、図４において、１０は居室４ａの妻天井梁、１１は妻天井梁１０上に取り付けられた上階妻梁、１２は開口スタッド８の外側に位置する壁パネル、１３は下屋３の天井パネル、１４は天井パネル１３上に取り付けられた屋根パネル（屋根）である。
【００１３】
壁パネル１２は外壁部材（外壁）１２ａと内壁部材１２ｂを有し、この外壁部材１２ａの周縁部内面には取付枠１２ｃが取り付けられ、取付枠１２ｃにはプラスチック段ボール製の通気パネル１２ｄの縁部が固着されている。この通気パネル１２ｄには上下に延びる多数の下屋通気路１２ｅが形成されている。この通気パネル１２ｅの内壁部材１２ｂ側（屋内側）の面に透湿防風シート１２ｆが添着されている。
【００１４】
天井パネル１３は、天井枠１３ａと、天井枠１３ａに取り付けられた天井パネル本体１３ｂと、天井パネル本体１３ｂ上に添設された断熱材１３ｃを有する。断熱材１３ｃは、天井枠１３ａ内においてフェノール樹脂を発泡成形することにより、天井パネル本体１３ｂに層状に一体に固着したものである。
【００１５】
屋根パネル１４は、天井パネル１３上に配設された屋根断熱材１５と、屋根断熱材１５上に配設された通気パネル１６と、通気パネル１６上に配設された屋根下地板１７と、屋根下地板１７上に配設された屋根面材１８を有する。
【００１６】
断熱材１５は、フェノール樹脂を発泡成形することにより、通気パネル１６に層状に一体に固着したものである。この通気パネル１６には、内部に屋根通気路１９が形成されていると共に、図５，図６に示したように屋根通気路１９に開講する多数の通気口１６ａが形成されている。
【００１７】
屋根面材１８は、鋼板に塩化ビニール樹脂をコーティングしたもので、図５，図７，図１８に示したように面材本体１８ａと、面材本体１８ａの下端部に下方に向けて延設された下垂直パネル部１８ｂと、下垂直パネル部１８ｂの内面側に設けられた下水切り取付部１８ｃを有する。この下水切り取付部１８ｃは下垂直パネル部１８ｂに連設された板部を折曲することにより左右に直方体状に延びている。また、屋根面材１８は、面材本体１８ａの上端部に上方に向けて延設された上垂直パネル部（水上水切り）１８ｄ、上垂直パネル部１８ｄの上縁に水平に連設された第１水平板部（水上水切り）１８ｅと、第１水平板部に１８ｅに段差を有して連設された第２水平板部１８ｆを有する。しかも、上垂直パネル部１７ｄの内面には補強板１８ｇが固着されている。
【００１８】
下水切り取付部１８ｃには取付孔２０が形成され、第２水平板部１８ｆの左右両端部及び中央には図９，図１０に示したように通気用切欠２１が形成されている。この第２水平板部１８ｆは、先端部側が妻天井梁１０と上階妻梁１１との間に介装されていて、妻天井梁１０及び上階妻梁１１に図示しないボルトで固定されている。しかも、上部垂直パネル部１８ｄと妻天井梁１０との間には屋根通気路１９に連通する通気路２２が形成され、この通気路２２には通気用切欠２１の通気口２１ａが第２水平板部１８ｆの基部側（第１水平板部１８ｅ側）において連通している。
【００１９】
屋根パネル１４の下端部と壁パネル１２の上縁部との間は図４，図５に示した様に軒先水切り２３で雨仕舞されている。この軒先水切り２３は、図１２に示したように側面形状がＬ字状の板部２４と、図１２に示したように板部２４の中間部上に上方に向けて一体に設けられた垂直板部２５を有する。
【００２０】
板部２４は水平板部２４ａと下方に延びる垂直板部２４ｂを有し、水平板部２４ａには垂直板部２４ｂとは反対側の端部に位置して通気口２４ｃが形成されている。説明の便宜上図１４では通気口２４ｃを一つ示したが。実際には図１５に示したように、所定数ごとに隣接して通気口２４ｃを形成して、通風量を確保する。垂直板部２５は、図１３，図１４に示したように、左右に延びる板部２５ａと、板部２５ａの両側部に設けられた側板部２５ｂ，２５ｂを有する。この側板部２５ｂ，２５ｂ間には嵌合凹部２５ｃが形成され、側板部２５ｂには取付用長孔２５ｄが形成されている。
【００２１】
また、軒先水切り２３は、板部２５ａの嵌合凹部２５ｃ側の面に一体に設けられた水切り板２６を有する。この水切り板２６は、板部２５ａの上下方向中央から斜め下方に向けて傾斜する傾斜板部２６ａと、傾斜板部２６ａの先端から下方に向けて延設された垂直板部２６ｂを有する。
【００２２】
この様な軒先水切り２３は水平板部２４ａが外壁部材１２ａの上縁上にシール材２７を介して配設されている。また、軒先水切り２３の嵌合凹部２５ｃには直方体状の下水切り取付部１８ｃが嵌合されている。そして、取付用長孔２５ｄに挿通したボルト２８を取付孔２０に螺着することで、軒先水切り２３は下水切り取付部１８ｃに取り付けられている。この状態では、下屋通気路１２ｅと屋根通気路１９が通気口２４ｃを介して連通している。
【００２３】
上階妻梁１１には上階の壁パネル３０が取り付けられている。この壁パネル３０は外壁部材（外壁）３０ａと内壁部材３０ｂを有し、外壁部材３０ａの内面にはシート取付枠３１が取り付けられ、シート取付枠３１には通気パネル３２が取り付けられている。また、シート取付枠３１にはシート水切り３３の上縁部が固着され、上部垂直パネル部１８ｄの外面及び第１水平板部１８ｅの上面にはシート水切り３３の下端部が固着されている。外壁部材３０ａと屋根パネル１４との間の間隙はカバー水切り３４で覆われている。このカバー水切り３４は、上部垂直パネル部１８ｄ及び補強板１８ｇを貫通するボルト３５で妻天井梁１０に取り付けられている。このように外壁部材３０ａと屋根パネル１４との間の間隙は、垂直パネル部１８ｄと第１水平板部１８ｅ，シート水切り３２及びカバー水切り３４によって雨仕舞されている。そして、通気パネル３２内には上下に延びる多数の上階通気路３６が形成され、通気パネル３６の上階妻梁１１側（屋内側）には透湿防風シート３７が添着されている。
【００２４】
次に、このような構成の通気構造の作用を説明する。
【００２５】
上述したように屋根パネル１４の下端部と壁パネル１２の上端部との間は軒先水切り２３で雨仕舞され、下屋通気路１２ｅと屋根通気路１９は軒先水切り２３の通気口２４ｃで連通していているが、下屋通気路１２ｅと屋根通気路１９は軒先水切り２３によって軒先における部分での大気との連通が遮断されている。
【００２６】
また、屋根パネル１４の上端部と上階の外壁部材３０ａとの間の間隙は垂直パネル部１８ｄと第１水平板部１８ｅ，シート水切り３２及びカバー水切り３４によって雨仕舞されている。しかも、屋根通気路１９，通気路２２及び上階通気路３６は、屋根パネル１４の上端部と上階の外壁部材３０ａとの間において、垂直パネル部１８ｄと第１水平板部１８ｅ，シート水切り３２及びカバー水切り３４により大気と遮断されている。
【００２７】
従って、下屋通気路１２ｅ，屋根通気路１９，通気路２２，上階通気路３６は、互いに連通するが、連通する部分においては大気と連通しない構造となっている。この結果、屋根パネル１４の下端部と壁パネル１２の上端部との間及び屋根パネル１４の上端部と上階の外壁部材３０ａとの間が雨風にさらされても、雨風が下屋通気路１２ｅ，屋根通気路１９，通気路２２，上階通気路３６に連通部分から浸入することはない。このように下屋３から上階（２階）まで連続した通気構造とすることで、途中で外気を取り入れる必要がないので、防水上有利である。しかも、下屋３の屋根の換気もでき、下屋３における排熱や排湿性が向上する。
【００２８】
【発明の効果】
以上説明したように、本発明の建物の通気構造は、下階の上に上階が設けられた本屋と、下階に隣接する下屋とが設けられていると共に、前記下屋の外壁、前記下屋の屋根及び前記上階の外壁内には互いに連通し且つ大気に連通する通気路が形成されている構成としたので、軒先や下屋の屋根の水上側での換気を行わなくてもよい。即ち、このように下屋から上階（２階）まで連続した通気構造とすることで、途中で外気を取り入れる必要がないので、防水上有利である。しかも、下屋の屋根の換気もでき、下屋における排熱や排湿性が向上する。
【００２９】
また、請求項１の発明は、前記下屋の外壁と下屋の屋根との間には軒先水切りが設けられていると共に、前記下屋通気路と屋根通気路とを連通させる通気口が前記軒先水切りに形成されている構成としたので、軒先水切りに形成されている通気口を介して下屋通気路と屋根通気路とを簡易に且つ外気を取り入れることなく連通させることができる。
【００３０】
更に、請求項２の発明は、前記下屋の屋根と上階の外壁との間には水上水切りが設けられていると共に、前記屋根通気路と上階通気路を連通させる通気口が前記水上水切りに形成されている構成としたので、水上水切りに形成されている通気口を介して屋根通気路と上階通気路とを簡易に且つ外気を取り入れることなく連通させることができる。
【図面の簡単な説明】
【図１】この発明に係る建物の通気構造を説明するための建物の概略説明図である。
【図２】図１に示した建物の部分平面図である。
【図３】図２のＡ−Ａ線に沿う概略断面図である。
【図４】図３の屋根部分の拡大詳細断面図である。
【図５】（Ａ）は図４の一部を更に拡大して示した部分断面図で、（Ｂ）は（Ａ）のａ−ａ線に沿う断面図、（Ｃ）は（Ａ）の通気パネルの拡大断面図、（Ｄ）は（Ａ）のｂ−ｂ線に沿う断面図である。
【図６】図５の通気パネルの平面図である。
【図７】図５の屋根面材の側面図である。
【図８】図７をＸ方向から見た部分斜視図である。
【図９】図７の屋根面材の平面図である。
【図１０】図７の屋根面材の右側面図である。
【図１１】図１０の矢印Ｂ部分の拡大斜視図である。
【図１２】図５の軒先水切りの側面図である。
【図１３】図１２の軒先水切りの右側面図である。
【図１４】図１２の軒先水切りの平面図である。
【図１５】図１４の通気口の例を示す説明図である。
【符号の説明】
１・・・建物
２・・・本屋
３・・・下屋
４・・・下階建物ユニット（下階）
５・・・上階建物ユニット（上階）
１２・・・壁パネル
１２ａ・・・外壁部材（外壁）
１２ｄ・・・下屋通気路
１４・・・屋根パネル（屋根）
１８・・・屋根面材
１８ｄ・・・垂直パネル部（水上水切り）
１８ｅ・・・第１水平板部（水上水切り）
２１・・・通気用切欠
２１ａ・・・通気口
１９・・・屋根通気路
２３・・・軒先水切り
２４ｃ・・・通気口
３０・・・壁パネル
３０ａ・・・外壁部材（外壁）
３６・・・上階通気路
【図１】
0004132494.tif 000002
【図２】
0004132494.tif 000003
【図３】
0004132494.tif 000004
【図４】
0004132494.tif 000005
【図５】
0004132494.tif 000006
【図６】
0004132494.tif 000007
【図７】
0004132494.tif 000008
【図８】
0004132494.tif 000009
【図９】
0004132494.tif 000010
【図１０】
0004132494.tif 000011
【図１１】
0004132494.tif 000012
【図１２】
0004132494.tif 000013
【図１３】
0004132494.tif 000014
【図１４】
0004132494.tif 000015
【図１５】
0004132494.tif 000016